(57)【要約】【課題】地震発生に伴うゲート制御の停止及びその再開を、自動的かつ確実に行うことができるダム制御装置を提供することにある。【解決手段】本実施形態によれば、ダム制御装置は、ゲート制御装置と、受信装置と、地震検知装置と、地震処理装置とを備えた構成である。ゲート制御装置はダムのゲートを制御する。受信装置は、外部から送信される地震発生情報を受信する。地震検知装置は、前記ダムの周辺での地震発生を検知する。地震処理装置は、前記受信装置により前記地震発生情報を受信した場合に前記ゲート制御装置のゲート制御を停止し、前記地震発生情報の受信時から一定時間経過までに前記地震検知装置により地震発生の検知がない場合には前記ゲート制御を再開させる。【選択図】図１
2013053423.tif 000002
【特許請求の範囲】
【請求項１】
ダムのゲートを制御するゲート制御手段と、
外部から送信される地震発生情報を受信する受信手段と、
前記ダムの周辺での地震発生を検知する地震検知手段と、
前記受信手段により前記地震発生情報を受信した場合に前記ゲート制御手段のゲート制御を停止し、前記地震発生情報の受信時から一定時間経過までに前記地震検知手段により地震発生の検知がない場合には前記ゲート制御を再開させる地震処理手段と
を具備したことを特徴とするダム制御装置。
【請求項２】
前記受信手段は、
前記地震発生情報として緊急地震速報を受信する緊急地震速報受信装置から構成されていることを特徴とする請求項１に記載のダム制御装置。
【請求項３】
前記地震処理手段は、
前記ゲート制御の停止時に、前記地震検知手段により地震発生が検知された場合には前記ゲート制御の停止を継続することを特徴とする請求項１または請求項２のいずれか１項に記載のダム制御装置。
【請求項４】
前記地震処理手段は、
前記ゲート制御の実行中で前記受信手段が前記地震発生情報を受信しない場合でも、前に前記地震検知手段により地震発生が検知された場合には前記ゲート制御を停止することを特徴とする請求項１から請求項３のいずれか１項に記載のダム制御装置。
【請求項５】
前記地震発生以外の停止条件を満たした場合に、前記ゲート制御手段のゲート制御を停止する手段をさらに有することを特徴とする請求項１から請求項４のいずれか１項に記載のダム制御装置。
【請求項６】
ダムのゲートを制御するダム制御方法において、
外部から送信される地震発生情報を受信する処理と、
前記ダムの周辺での地震発生を検知する処理と、
前記地震発生情報を受信した場合に前記ゲート制御手段のゲート制御を停止する処理と、
前記地震発生情報の受信時から一定時間経過までに前記地震発生の検知がない場合には前記ゲート制御を再開させる処理と
を有することを特徴とするダム制御方法。
【請求項７】
前記受信処理は、
前記地震発生情報として緊急地震速報を受信する処理であることを特徴とする請求項６に記載のダム制御方法。
【請求項８】
前記ゲート制御の停止時に、前記地震発生が検知された場合には前記ゲート制御の停止を継続する処理を含むことを特徴とする請求項６または請求項７のいずれか１項に記載のダム制御方法。
【請求項９】
前記ゲート制御の実行中で前記地震発生情報を受信しない場合でも、前記地震発生が検知された場合には前記ゲート制御を停止することを特徴とする請求項６から請求項８のいずれか１項に記載のダム制御方法。
【発明の詳細な説明】
【技術分野】
【０００１】
本発明の実施形態は、ダムの放流制御を行なうためのダム制御装置及びダム制御方法に関する。
【背景技術】
【０００２】
一般的に、河川などの放流を制御するためのダムには、ダムの運用管理するためのダム管理用制御設備が設けられている。ダム管理用制御設備は、ゲートやバルブなどの放流設備を確実かつ容易に操作するための支援設備であり、システムや設備の障害または異常発生に対しても的確に対応する異常対策用設備も含む。
【０００３】
ダムの設備の中では、特に放流量の調節を行うゲートが重要であり、このゲートに障害や異常が起きると大事故に繋がる恐れがある。このため、国の機関により定められたダムの標準設計仕様には、異常が検出された場合には、ゲート制御を停止する旨が規定されている。
【先行技術文献】
【特許文献】
【０００４】
【特許文献１】特開平４−２１００９号公報
【発明の概要】
【発明が解決しようとする課題】
【０００５】
ダムの設備であるゲートは、地震の発生により障害や異常が起きる可能性が高い。ダム管理用制御設備には、地震観測設備も含まれているものもある。地震観測設備が含まれているダム管理用制御設備では、この地震観測設備により地震発生が検知された場合には、予め定められた所定の規則に基づいて、ダムの操作員によりゲート制御が停止される。操作員によりゲート用機器に問題がない事が確認された後、操作員によりゲート制御が再開される。
【０００６】
しかしながら、地震観測設備により地震発生が検知された後に、操作員によりゲート制御の停止が行われるため、地震発生中でもゲート制御が継続されている状態がある。
【０００７】
本発明の目的は、地震発生に伴うゲート制御の停止及びその再開を、自動的かつ確実に行うことができるダム制御装置を提供することにある。
【課題を解決するための手段】
【０００８】
本実施形態によれば、ダム制御装置は、ゲート制御手段と、受信手段と、地震検知手段と、地震処理手段とを備えた構成である。ゲート制御手段はダムのゲートを制御する。受信手段は、外部から送信される地震発生情報を受信する。地震検知手段は、前記ダムの周辺での地震発生を検知する。地震処理手段は、前記受信手段により前記地震発生情報を受信した場合に前記ゲート制御手段のゲート制御を停止し、前記地震発生情報の受信時から一定時間経過までに前記地震検知手段により地震発生の検知がない場合には前記ゲート制御を再開させる。
【図面の簡単な説明】
【０００９】
【図１】実施形態に関するダム制御システムの構成を説明するためのブロック図。
【図２】実施形態に関するダムの概略を説明するための図。
【図３】実施形態に関するダム制御動作を説明するためのフローチャート。
【発明を実施するための形態】
【００１０】
以下図面を参照して、実施形態を説明する。
【００１１】
［システムの構成］
図２に示すように、ダム４０は、貯水池４１の河川の上流側に設けられて、貯水池４１から下流４３への放流を制御する。貯水池４１には、河川の上流側４２から水が流入する構造である。
【００１２】
図１は本実施形態のダム制御システム１の構成を示すブロック図である。ダム制御システム１は、主要部としてはダム４０の放流を制御するためのダム管理用制御設備から構成されている。
【００１３】
ダム制御システム１は大別して、制御系ＬＡＮ２に接続される制御系と、情報系ＬＡＮ３に接続される情報系とからなる。制御系は、放流操作装置１０と、放流判断支援・流出予測装置１１と、入出力装置１２と、遠方手動操作装置１３とを有する。入出力装置１２及び遠方手動操作装置１３はそれぞれ、複数のゲート１５，１６に接続し、ゲート制御に必要な操作や制御信号の入出力を行なう。入出力装置１２は、貯水池４１の水位を計測する水位計１４の計測結果を入力して制御系ＬＡＮ２に送信する。
【００１４】
ゲート１５，１６はそれぞれ、ゲート開度計１５Ａ，１６Ａ及びゲート制御装置１５Ｂ，１６Ｂを含む。ゲート開度計１５Ａ，１６Ａは、ゲート１５，１６の開閉度を計測する計測器であり、入出力装置１２を介して計測結果を制御系ＬＡＮ２に送信する。ゲート制御装置１５Ｂ，１６Ｂは、ゲート１５，１６の開閉を調整するためのゲート制御を実行する。ゲート１５，１６のゲート制御に応じて、ダム４０の放流量が制御されることになる。
【００１５】
一方、情報系は、ネットワークプリンタ１７と、ファイル装置１８と、点検・応急対策ガイド装置１９と、情報入力・提供装置２０とを有する。情報入力・提供装置２０は、データ・警報表示装置２１、上位／関係機関向けデータ配信装置２２、電話応答／通報装置２３及び放流警報設備２４のそれぞれに接続し、ダム４０の放流制御に関する情報の入力または提供を行なう。
【００１６】
さらに、情報入力・提供装置２０は、緊急地震速報受信装置３０、気象観測設備３１、地震観測設備３２、水質観測設備３３、漏水量計測設備３４、堤体・埋設計器観測設備３５及びＣＣＴＶ（closed circuit television）設備３６のそれぞれに接続し、各種の情報を入力する。
【００１７】
［ダム制御動作］
以下、図３のフローチャートを参照して、本実施形態のダム制御システム１のダム制御動作、特に地震処理時の手順を説明する。
【００１８】
まず、ダム制御システム１では、放流操作装置１０または遠方手動操作装置１３からの操作信号に応じて、ゲート制御装置１５Ｂ，１６Ｂがゲート１５，１６の開閉を調整するためのゲート制御を開始する（ステップＳ１）。なお、操作員がゲート制御装置１５Ｂ，１６Ｂを手動操作することでも、ゲート制御を開始できる。
【００１９】
ゲート１５，１６のゲート制御中に、例えば、機器異常の発生などにより、遠方手動操作装置１３から停止指示信号が出力された場合や、ゲート制御装置１５Ｂ，１６Ｂの停止ボタンが操作された場合には、ゲート制御は停止となる（ステップＳ２のＹＥＳ）。また、例えば放流判断支援・流出予測装置１１の予測結果に基づいて、ゲート制御の停止（終了）条件を満たした場合に、放流操作装置１０または遠方手動操作装置１３からの操作信号に応じて、ゲート制御は停止となる（ステップＳ３のＹＥＳ）。
【００２０】
ここで、緊急地震速報受信装置３０は、例えばネットワークから配信された緊急地震速報（地震発生情報）を受信すると、情報入力・提供装置２０に当該情報を伝送する（ステップＳ４）。情報入力・提供装置２０は、緊急地震速報（地震発生情報）を入力すると、情報系ＬＡＮ３を介して放流操作装置１０に通知する。放流操作装置１０は、情報入力・提供装置２０からの緊急地震速報に応じて、ゲート制御を停止するための操作を実行する（ステップＳ５）。
【００２１】
具体的には、放流操作装置１０は、情報系ＬＡＮ３からの緊急地震速報に応じて、制御系ＬＡＮ２及び入出力装置１２を介して停止指示信号をゲート制御装置１５Ｂ，１６Ｂに伝送する。これにより、ゲート制御装置１５Ｂ，１６Ｂは、ゲート１５，１６の開閉を調整するためのゲート制御を停止する。
【００２２】
情報入力・提供装置２０は、緊急地震速報受信装置３０での緊急地震速報の受信時から一定時間経過までに、地震観測設備３２により地震発生が検知されない場合にはゲート制御停止の解除を、情報系ＬＡＮ３を介して放流操作装置１０に通知する（ステップＳ６のＮＯ）。
【００２３】
ここで、情報入力・提供装置２０は、緊急地震速報受信装置３０から緊急地震速報を入力するときに、緊急地震速報の受信時間も入力し、緊急地震速報の受信を示すフラグ情報をセットする。また、情報入力・提供装置２０は常時、地震観測設備３２から地震発生の検知結果を入力して、ダム４０の周辺の地震発生を監視している。情報入力・提供装置２０は、緊急地震速報の受信時から一定時間経過後に、地震観測設備３２が地震を検知しない場合にはフラグ情報を解除する。
【００２４】
放流操作装置１０は、情報入力・提供装置２０からのゲート制御停止の解除通知を受けると、制御系ＬＡＮ２及び入出力装置１２を介してゲート制御の操作信号をゲート制御装置１５Ｂ，１６Ｂに伝送する。これにより、ゲート制御装置１５Ｂ，１６Ｂは、ゲート１５，１６のゲート制御を再開する（ステップＳ７）。
【００２５】
情報入力・提供装置２０は、地震観測設備３２から地震発生の検知結果を入力すると、情報系ＬＡＮ３を介して放流操作装置１０に通知する。この通知により、放流操作装置１０は、ゲート制御の停止を継続する（ステップＳ６のＹＥＳ）。
【００２６】
ここで、情報入力・提供装置２０は、緊急地震速報受信装置３０が緊急地震速報を受信する前に、地震観測設備３２から地震発生の検知結果を入力すると、情報系ＬＡＮ３を介して放流操作装置１０に通知する。放流操作装置１０は、情報入力・提供装置２０からの地震発生の検知結果に応じて、実行中のゲート制御を停止するための操作を実行する（ステップＳ６のＹＥＳ）。即ち、緊急地震速報受信装置３０が緊急地震速報を受信しない場合でも、ゲート１５，１６のゲート制御は停止となる。
【００２７】
以上のように本実施形態によれば、外部から提供される緊急地震速報を受信した場合に、ダム周辺での地震発生に備えて事前にゲート制御を停止することができる。従って、実際にダム周辺で地震発生が起きた場合に、確実にゲート制御を停止状態にできる。また、地震発生が起きた場合に、操作員がゲート制御を停止させる作業を不要にできる。
【００２８】
さらに、本実施形態によれば、緊急地震速報を受信してから一定時間が経過しても、ダム周辺での地震検知がない場合には、自動的にゲート制御を再開させることができる。これにより、操作員がゲート制御を再開させる作業を不要にできる。
【００２９】
要するに、本実施形態によれば、緊急地震速報を利用してダム周辺での地震発生に備えて事前にゲート制御を停止するため、地震発生時にゲート制御が継続されている状態を確実に解消することができる。従って、地震発生によるゲート故障や異常による事故の発生を未然に防止できる。また、ダム周辺での地震発生がない場合には、自動的にゲート制御を再開できるため、ダムの運用効率が低下するような事態を抑制できる。
【００３０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３１】
１…ダム制御システム、２…制御系ＬＡＮ、３…情報系ＬＡＮ、
１０…放流操作装置、１１…放流判断支援・流出予測装置、１２…入出力装置、
１３…遠方手動操作装置、１５，１６…ゲート、１５Ａ，１６Ａ…ゲート開度計、
１５Ｂ，１６Ｂ…ゲート制御装置、２０…情報入力・提供装置、
３０…緊急地震速報受信装置、３２…地震観測設備、４０…ダム。
【図１】
2013053423.tif 000003
【図２】
2013053423.tif 000004
【図３】
2013053423.tif 000005